(57)【要約】      （修正有）【課題】温熱効果を利用して健康増進に寄与するとともに、設置の際の利便性が良いマッサージ用ベッドを提供する。【解決手段】脚部２と、脚部に支持された箱型の寝床部３と、を備えるマッサージ用ベッド１であって、寝床部は、その内空間に複数の石を敷き詰め、利用者Ｉが少なくとも体の一部を埋めることができる石層１０と、石層の下方に設けられ、石層を形成する石を加熱可能なヒーター５と、を備える。石層は、第一の石を敷き詰めた第一層１２と、第一層の上に積層し、第一の石よりも平均直径の大きな第二の石を敷き詰めて体の一部を埋めることができる第二層１４と、を備える。【選択図】図２
0003219912.tif 000002
【実用新案登録請求の範囲】
【請求項１】
脚部と、前記脚部に支持された箱型の寝床部と、を備えるマッサージ用ベッドであって、
前記寝床部は、
その内空間に複数の石を敷き詰めた層であって、利用者が少なくとも体の一部を埋めることができる石層と、
前記石層の下方に設けられ、前記石層を形成する前記石を加熱可能なヒーターと、
を備えるマッサージ用ベッド。
【請求項２】
前記石層は、
前記ヒーターの上方に設けられ、第一の石を敷き詰めた第一層と、
前記第一層の上に積層し、前記第一の石よりも平均直径の大きな第二の石を敷き詰めた層であって、前記利用者が少なくとも体の一部を埋めることができる第二層と、
を備える請求項１に記載のマッサージ用ベッド。
【請求項３】
前記第二層は、前記第一層より厚くなるよう形成される請求項２に記載のマッサージ用ベッド。
【請求項４】
前記第一の石を複数種の石とし、
前記第二の石を１種類の石とする請求項２または３に記載のマッサージ用ベッド。
【請求項５】
前記寝床部は、前記ヒーターの上方且つ前記石層の下方に設けられる部材であって前記石層を形成する前記複数の石を支持する板状の保護部材を、備える請求項１から４のいずれか１項に記載のマッサージ用ベッド。
【考案の詳細な説明】
【技術分野】
【０００１】
本考案は、マッサージ用ベッドに関する。
【背景技術】
【０００２】
従来から、温熱効果を利用した健康施設が種々提供されている。特に岩盤浴は、岩盤を床および壁に布設した施設にて当該岩盤の遠赤外線照射によりヒトの体の芯から温めて発汗を促す効果を有し、一般に広く利用されている。近年では、このような健康施設を、遠方まで出向かずとも、日常的に手軽に利用したいとの要望から、エステティックサロン、スポーツジム、病院や各種治療院等において、温熱効果を利用したマッサージ用ベッドの設置が増加している。かかるベッドに関する技術の一例として、温水を循環させて加熱する加熱部の上にラジウム鉱石の岩盤体を配置した岩盤浴ベッドが知られている（例えば、特許文献１を参照）。
【先行技術文献】
【特許文献】
【０００３】
【特許文献１】特開２００６−１８７４４３
【考案の概要】
【考案が解決しようとする課題】
【０００４】
しかし、上述のようなマッサージ用ベッドは、岩盤体の製造に手間がかかったり、設置の際に給排水工事等の建築的工事を行う必要が生じる。そのため、ビルやマンション等の部屋に設置する際の利便性に欠ける虞がある。
【０００５】
本考案は、上記課題に鑑みてなされたものであり、温熱効果を利用して健康増進に寄与するとともに、設置の際の利便性が良いマッサージ用ベッドを提供することを目的とする。
【課題を解決するための手段】
【０００６】
（１）上記目的を達成するための一実施の形態に係るマッサージ用ベッドは、脚部と、前記脚部に支持された箱型の寝床部と、を備えるマッサージ用ベッドであって、前記寝床部は、その内空間に複数の石を敷き詰めた層であって、利用者が少なくとも体の一部を埋めることができる石層と、前記石層の下方に設けられ、前記石層を形成する前記石を加熱可能なヒーターと、を備える。
【０００７】
（２）別の実施の形態に係るマッサージ用ベッドでは、好ましくは、前記石層は、前記ヒーターの上方に設けられ、第一の石を敷き詰めた第一層と、前記第一層の上に積層し、前記第一の石よりも平均直径の大きな第二の石を敷き詰めた層であって、前記利用者が少なくとも体の一部を埋めることができる第二層と、を備える。
【０００８】
（３）別の実施の形態に係るマッサージ用ベッドでは、好ましくは、前記第二層は、前記第一層より厚くなるよう形成される。
【０００９】
（４）別の実施の形態に係るマッサージ用ベッドでは、好ましくは、前記第一の石を複数種の石とし、前記第二の石を１種類の石とする。
【００１０】
（５）別の実施の形態に係るマッサージ用ベッドでは、好ましくは、前記寝床部は、前記ヒーターの上方且つ前記石層の下方に設けられる部材であって前記石層を形成する前記複数の石を支持する板状の保護部材を、備える。
【考案の効果】
【００１１】
本考案によれば、温熱効果を利用して健康増進に寄与するとともに、設置の際の利便性が良いマッサージ用ベッドを提供できる。
【図面の簡単な説明】
【００１２】
【図１】図１は、本考案の一実施形態に係るマッサージ用ベッドの斜視図を示す。
【図２】図２は、図１におけるＡ−Ａ線断面図（２Ａ）および当該断面図中の領域Ｐの拡大図（２Ｂ）をそれぞれ示す。
【考案を実施するための形態】
【００１３】
次に、本考案の好適な実施形態について図面を参照して説明する。なお、以下に説明する実施形態は、実用新案登録請求の範囲に係る考案を限定するものではなく、また、実施形態の中で説明されている諸要素及びその組み合わせの全てが本考案の解決手段に必須であるとは限らない。
【００１４】
図１は、本考案の一実施形態に係るマッサージ用ベッドの斜視図を示す。図２は、図１におけるＡ−Ａ線断面図（２Ａ）および当該断面図中の領域Ｐの拡大図（２Ｂ）をそれぞれ示す。
【００１５】
この実施形態に係るマッサージ用ベッド１は、脚部２と、脚部２に支持された箱型の寝床部３と、を備える。寝床部３は、その内空間に複数の石１０ａを敷き詰めた層であって、利用者Ｉが少なくとも体の一部を埋めることができる石層１０と、石層１０の下方に設けられ、石層１０を形成する石１０ａを加熱可能なヒーター５と、を備える。また、寝床部３は、好ましくは、ヒーター５の上方且つ石層１０の下方に設けられる部材であって石層１０を形成する複数の石１０ａを支持する板状の保護部材８を、備える。
【００１６】
脚部２は、床面に対して略垂直に立てられる略角柱状の木製の部材であり、寝床部３の下面の四隅に当接するよう配置され、蝶ボルト等の締結部材を用いて寝床部３に締結固定される。なお、脚部２は、木製に制約されず、例えば、金属製または樹脂製であっても良い。また、脚部２は、略角柱状に制約されず、例えば、円柱状等であっても良い。また、脚部２は、寝床部３の外周面からそれぞれ下方に向かって形成される板状部材であっても良いし、外周面のうち向かい合う２つの面からそれぞれ下方に形成されていても良い。なお、脚部２の長さは、特に制約はないが、７５ｃｍ程度であることが好ましい。
【００１７】
寝床部３は、複数の石１０ａを敷き詰めた石層１０と、石層１０の下方に設けられたヒーター５と、ヒーター５の上方且つ石層１０の下方に設けられた保護部材８と、を備える。すなわち、寝床部３は、その底部から上方へ向かって、ヒーター５、保護部材８、石層１０の順に積層されている。なお、寝床部３の大きさは、利用者Ｉが横たわることができる大きさであれば特に制約はないが、長手方向の長さが１９０ｃｍ程度であり、当該長手方向に直交する幅方向の長さが８０ｃｍ程度であることが好ましい。
【００１８】
石層１０は、図２（２Ｂ）に示すように、好ましくは、第一の石１２ａを敷き詰めた第一層１２と、第一層１２の上に積層し、第二の石１４ａを敷き詰めた第二層１４と、を備える。第二層１４は、好ましくは、第一層１２より厚くなるよう形成される。また、第一の石１２ａは、複数種の石である。なお、図２（２Ｂ）では、第一の石１２ａを２種類の模様で複数種の石の存在を示している。これに対して、第二の石１４ａは、１種類の石でも複数種の石でも良いが、好ましくは１種類の石である。
【００１９】
第一層１２は、ヒーター５の上方、より具体的には、保護部材８の上方に設けられる層である。第一層１２の層厚Ｄ１は、特に制約はないが、好ましくは、０．５〜５ｃｍ、より好ましくは、０．７〜１．２ｃｍである。第一の石１２ａは、例えば、桜花石、小野鉱石、波動石、昇竜石、麦飯石、医王石、ひる川石、伊勢石、カルシウム石の内の少なくとも１種、好ましくは２種以上の石の混合である。第一の石１２ａの大きさは、平均粒径で、６ｍｍ以下、好ましくは３〜６ｍｍの大きさである。
【００２０】
第二層１４は、第一層１２の上に積層され、利用者Ｉがその上に横たわり、少なくとも体の一部を埋めることができる層である。第二層１４の層厚Ｄ２は、第一層１２の層厚Ｄ１より大きいことが好ましい。なお、第二層１４の層厚Ｄ２は、第一層１２の層厚Ｄ１より大きく、且つ、利用者Ｉが横たわった場合に少なくとも体の一部を埋めるのに十分な厚さであれば特に制約はないが、好ましくは、８〜２０ｃｍ、より好ましくは、１０〜１５ｃｍである。第二の石１４ａは、好ましくは、雨花石である。第二の石１４ａの大きさは、第一の石１２ａより大きく、平均粒径で、７〜１５ｍｍ、好ましくは９〜１２ｍｍの大きさである。ここで、粒径は、第一の石１２ａあるいは第二の石１４ａを同じ体積の球にしたときの直径（球換算径）を意味する。
【００２１】
ヒーター５は、寝床部３の底部に設けられ、石層１０を形成する石１０ａである第一の石１２ａおよび第二の石１４ａを加熱可能な部材である。ヒーター５は、好ましくは、カーボンヒーター、セラミックヒーター等のシート状の電熱ヒーターであり、より好ましくは、寝床部３の底部を覆うことが可能なシート状のカーボンヒーターである。
【００２２】
保護部材８は、石層１０を形成する複数の石１０ａを支持する板状の部材である。より具体的には、保護部材８は、その上に積層される第一層１２を形成する第一の石１２ａを主に支持している。保護部材８は、その下方に設けられたヒーター５から発せられる熱を第一の石１２ａおよび第二の石１４ａに伝える役割を担う部材である。よって、保護部材８は、例えば、金属、木材、樹脂等、ヒーター５から発せられる熱の少なくとも一部を第一の石１２ａおよび第二の石１４ａに伝導可能な材料で構成されることが好ましい。また、保護部材８は、ヒーター５から発せられる熱の一部を逃がすことにより、寝床部３の上面の温度を利用者Ｉが横たわることが可能な温度となるように調整する役割も担うことが好ましい。よって、保護部材８は、好ましくは、例えば、セラミックボードや木板等、所定の断熱性を有する板状の部材であり、より好ましくは、ベニヤ板である。
【００２３】
次に、この実施形態に係るマッサージ用ベッド１の使用例について説明する。まず、ヒーター５の電源を入れ、加熱する。このとき、ヒーター５の温度は、５０〜６０℃が好ましく、５５〜５７℃がより好ましい。そして、ヒーター５から発せられる熱が、保護部材８、第一層１２、第二層１４の順に伝わり、第二層１４を形成する第二の石１４ａが温められる。このとき、第二層１４の上面、すなわち、寝床部３の上面の温度は、利用者Ｉが横たわることが可能な温度であれば特に制約はないが、４０〜５０℃が好ましく、４２〜４５℃がより好ましい。利用者Ｉは、このようにして第二の石１４ａが温められた状態で寝床部３に横たわり、エステティックやマッサージの施術を受けることができる。第二の石１４ａはヒーター５により温められているため、利用者Ｉは、第二の石１４ａに体の一部を埋めて横になる、あるいは第二の石１４ａの上で横になることによって、体温が上がり発汗を促される。特に、第二の石１４ａは、温められたときに遠赤外線、あるいはマイナスイオンを放出し得る。このような作用の結果、利用者Ｉは、発汗の促進、老廃物の排出、血液やリンパの正常な流れ等の効果を得ることができ、エステティックやマッサージの効果を増大させることができる。
【００２４】
また、図２（２Ａ）に示すように、マッサージ用ベッド１は、寝床部３の上面、すなわち、第二層１４の上面に、カバーシート２０を敷き、その上に利用者Ｉが横たわるように構成することが好ましい。カバーシート２０は、寝床部３全面を覆うシート状の部材であって、利用者Ｉの体に密着するように形状変化可能な材質で構成された部材である。カバーシート２０は、特に制約はないが、好ましくは、ビニールシートである。このようにカバーシート２０を敷くことにより、エステティックやマッサージの施術により生じる利用者Ｉの汗やマッサージオイル等が石１０ａに付着することを抑制できるため、施術後にカバーシート２０を交換すれば石１０ａ等を洗浄する必要がなく、利便性が良い。ただし、マッサージ用ベッド１をより清潔に保つために、施術ごとにカバーシート２０を交換することに加え、液状の無機組成物を石１０ａに散布することが好ましい。当該液状の無機組成物は、例えば、水を主として、水の中にアルミニウム、鉄、マグネシウム、カリウム、リン、チタン、カルシウム、マンガン、ナトリウム、シリコン、コバルト、リチウム、銅、ニッケル、亜鉛、バリウムの中から１若しくは２種以上の元素を含み、ヒトの健康にとって害の無い組成物である。さらに詳しくは、当該組成物に占めるアルミニウム、鉄、マグネシウムおよびカリウムの好適な含有量は、それぞれ、当該組成物１Ｌ当たりで１〜２０ｇ、１〜２０ｇ、１〜１０ｇおよび１〜１０ｇである。当該組成物のｐＨは、好ましくは０．１〜２．０の酸性域である。
【００２５】
このように構成されたマッサージ用ベッド１は、温熱効果を利用した健康増進に寄与することができる。また、マッサージ用ベッド１は、水を使用せずヒーター５で石１０ａを加熱するため、設置の際に給排水工事等の建築的工事を行う必要がない。また、マッサージ用ベッド１は、寝床部３の内空間に敷き詰めた石１０ａの上に利用者Ｉを横たわらせるため、岩盤体等の製造を行う必要がなく、設置の際の利便性が良い。また、利用者Ｉがカバーシート２０の上に横たわると、利用者Ｉの体重が寝床部３の上面に加わることにより、カバーシート２０および第二層１４の上面は利用者Ｉに密着するよう形状変化する。よって、利用者Ｉは、カバーシート２０を介して第二の石１４ａに体が密着した状態で、第二の石１４ａに体の一部を埋めて横になる、あるいは第二の石１４ａの上で横になることができるため、温熱効果を利用して健康増進に寄与するとともに、寝床部３の洗浄作業を簡易化することができる。
【００２６】
（その他の実施形態）
上述のように、本考案の好適な実施形態について説明したが、本考案は、これらに限定されることなく、種々変形して実施可能である。
【００２７】
例えば、上記実施形態では、石層１０は、第一層１２と第二層１４との二層で構成されていたが、第二層１４のみの一層で構成されていても良いし、三層以上で構成されていても良い。
【００２８】
石層１０は、第一層１２と第二層１４とを隔てるための網を、第一層１２と第二層１４との間に設けても良い。この場合、網は、例えば、樹脂、金属、グラファイト系材料等で構成され、第二層１４を構成する第二の石１４ａを通過させないサイズの網目を有していれば良い。
【００２９】
また、保護部材８は、ヒーター５が石層１０を形成する複数の石１０ａを支持することが可能であれば設けなくても良い。この場合、寝床部３の上面の温度が利用者Ｉが横たわることが可能な温度となるように、ヒーター５の温度を調整すれば良い。
【００３０】
第一の石１２ａを１種の石とし、第二の石１４ａを複数種の石としても良い。第一の石１２ａを１種の石とし、第二の石１４ａを１種の石としても良い。また、第一の石１２ａを複数種の石とし、第二の石１４ａを複数種の石としても良い。また、石１０ａは、利用者Ｉが求める効能に応じて、その種類や組み合わせを変更しても良い。
【産業上の利用可能性】
【００３１】
本考案に係るマッサージ用ベッドは、疲労回復、健康回復あるいは健康維持の施設として利用可能である。
【符号の説明】
【００３２】
１・・・マッサージ用ベッド、２・・・脚部、３・・・寝床部、５・・・ヒーター、８・・・保護部材、１０ａ・・・石、１０・・・石層、１２ａ・・・第一の石、１２・・・第一層、１４ａ・・・第二の石、１４・・・第二層、Ｉ・・・利用者。
【図１】
0003219912.tif 000003
【図２】
0003219912.tif 000004